(57)【要約】【課題】本発明の目的は太陽電池パネル６のスペースを増加させることなく、かつ、輝度低下を起こさないことができる液晶表示装置を提供することである。【解決手段】光を前記液晶表示パネルに導く導光板を有する液晶表示装置において、前記導光板の前記光源に向いていない少なくとも１つの端面に正対して、太陽電池パネルを備えるものである。さらに、その太陽電池パネルを光源の配置されていない側面に沿って略平行に配置する。また、導光板を有しない中空の筐体を有するバックライトユニットにおいて、該筐体内の光源の配置されていない側面に沿って、太陽電池パネルを配置するものである。【選択図】図１
2005292546.tif 000002
【特許請求の範囲】
【請求項１】
液晶表示パネルと、該液晶表示パネルを照射する光源と、該光源が照射する光を前記液晶表示パネルに導く導光板とを有する液晶表示装置において、前記導光板の前記光源に向いていない少なくとも１つの端面に正対して、光エネルギーを電気エネルギーに変換するパネルを備えることを特徴とする液晶表示装置。
【請求項２】
前記光エネルギーを電気エネルギーに変換するパネルが、前記光源の照射方向に正対していない導光板の端面に配置される請求項１記載の液晶表示装置。
【請求項３】
液晶表示パネルと、該液晶表示パネルを照射する面状光源装置とを有する液晶表示装置において、前記面状光源装置の筐体内の光源が設けられていない側面に、光エネルギーを電気エネルギーに変換するパネルを備えることを特徴とする液晶表示装置。
【発明の詳細な説明】
【技術分野】
【０００１】
本発明は、液晶パネルを照射するバックライトユニットを使用する液晶表示装置において、低消費電力化に適した構造に関する。
【背景技術】
【０００２】
従来の技術の液晶表示装置では、液晶パネルの下部に照明手段として光学シート、光源、導光板、反射シート、光学素子、前記光エネルギーを電気エネルギーに変換するパネル（以下、太陽電池パネルという）が組み込まれているバックライトユニットを有している。そのバックライトユニット内の導光板端面から漏れる光を、太陽電池パネルに受光させることによって電力を得て、回路駆動の電力として使用することにより、低消費電力を実現している。
【０００３】
たとえば、特許文献１の第１の実施例では、図６に示すように導光板４の端面から漏れる光３ｅを、光学素子７で反照射面側に反射させ、下面に設けた太陽電池パネル６に受光させて電力を得ている。また、前記特許文献１の第２の実施例では、図７に示すように導光板の照光面とは反対側の全面に太陽電池パネル６を配置し、導光板反照光面側へ漏れる光３ｆと、導光板４の端面から漏れる光３ｅとを合わせて、太陽電池パネル６に受光させて電力を得ている。
【０００４】
【特許文献１】特開２００３−８４２８１号公報
【発明の開示】
【発明が解決しようとする課題】
【０００５】
しかし、前述の従来技術では、導光板端面の損失光を反射させて太陽電池パネルに受光できるようにするための光学素子７が必要であり、光学素子７の配置スペースと太陽電池パネル６の配置スペースが、バックライトユニットおよび液晶表示装置の外形サイズを拡大させてしまうことになる。また、前記特許文献１の第２の実施例のように、導光板反照光面側全面に太陽電池パネル６を配置した場合、導光板の反照光面から漏れる光３ｆは本来、反射シート５にて反射して再利用できるが、反射シート５の代わりに太陽電池パネル６が導光板の照光面とは反対側の全面にあるため、太陽電池パネル６が光を吸収してしまい、反射光がなくなって、輝度が低下するという問題がある。
【０００６】
本発明の目的は太陽電池パネル６のスペースを増加させることなく、かつ、輝度低下を起こさない液晶表示装置を提供することである。
【課題を解決するための手段】
【０００７】
本発明の液晶表示装置は、光を前記液晶表示パネルに導く導光板を有する液晶表示装置において、前記導光板の前記光源に向いていない少なくとも１つの端面に正対して、太陽電池パネルを備えるものである。さらに、その太陽電池パネルを光源の配置されていない側面に沿って略平行に配置するものである。
【０００８】
また、導光板を有しない中空の筐体を有するバックライトユニットにおいて、該筐体内の光源の配置されていない側面に沿って、太陽電池パネルを配置するものである。
【発明の効果】
【０００９】
本発明によれば、太陽電池パネルをバックライトユニットに配置するスペースが、極力抑えられるので、バックライトユニットおよび液晶表示装置の外形サイズを、従来の液晶表示装置に比べて小型化することができる。また、液晶パネルへの照射に必要な光を使用するのではなく、本来損失していた部分の光を使用しているために、液晶表示装置の輝度低下を起こさなくてすむ。
【発明を実施するための最良の形態】
【００１０】
実施の形態１
図１は、本発明の実施の形態１にかかわる液晶表示装置の上面図である。図２は図１のＡ−Ａ断面図である。図３は図１の液晶表示装置の斜視図である。
【００１１】
本発明の液晶表示装置は、液晶パネル１、光学シート２、光源３、導光板４、反射シート５、太陽電池パネル６を有し、光源３から照射される光３ａは、導光板４の中を通って散乱光３ｂとなる。また、反照射面に抜けて反射シート５で反射される光は、再び導光板５の中を通って光３ｃとなり、光学シート２を通って液晶パネル１に照射される。
【００１２】
図１にあるように、光源３から出た光３ａは前記光３ｂおよび３ｃだけでなく、導光板４を通って光源３が配置されていない導光板４の端面に抜けて、損失光となってしまう光３ｄもある。この光３ｄの出射方向と垂直に（すなわち、導光板の端面に正対して）太陽電池パネル６を配置する。太陽電池パネル６が光３ｄを受光し、光エネルギーを電気エネルギーに変換して、液晶表示装置を駆動する電力を得る。本来損失光となる光３ｄを再利用でき、低消費電力の液晶表示装置を実現することができる。また、太陽電池パネル６は前記光３ｄの出射方向と垂直に配置することによって、太陽電池パネル６の配置スペースは太陽電池パネル６の厚み分だけあれば足りる。したがって、バックライトユニットおよび液晶表示装置の外形サイズを小型化することができる。
【００１３】
実施の形態２
図４は、本発明の実施の形態２にかかわる液晶表示装置の上面図である。図５の（ａ）は図４のＢ−Ｂ断面図、図５の（ｂ）は図４のＣ−Ｃ断面図である。
【００１４】
本実施の形態では、バックライトは導光板を使用せず、バックライトの筐体８は中空である。筐体８の側面８ａに沿って設けられた光源３から発した光は、光学素子７で屈折されて筐体８の底面に向けられる。筐体８の底面には反射シート５があり、光は反射シート５で散乱反射される。反射光は、筐体８の開口部に設けられた光学シート２を通って、液晶パネル（図示せず）に照射される。
【００１５】
ここで、光学素子７で屈折される光の一部と、反射シート５で散乱反射される光の一部は、筐体８内の光源３が設けられていない側面８ｂに向かう。そこで、筐体８内の光源３が設けられていない側面８ｂの一部または全面に、太陽電池パネル６を配置し、側面８ｂに向かう光を受光し、光エネルギーを電気エネルギーに変換して、液晶表示装置を駆動する電力が得る。
【００１６】
また、本実施の形態でも太陽電池パネル６を設置するスペースは、太陽電池パネル６の厚み分だけあれば足りる。したがって、バックライトユニットおよび液晶表示装置の外形サイズを小型化することができる。
【００１７】
従来では、バックライト筐体内の光源が配置されていない側面は、反射板となっている場合がある。反射板は光を反射して再利用できるため、光源が配置されていない側面に照射される光を有効利用できる。反射板を使用した場合と太陽電池パネルとを比較すると、太陽電池パネルが光を吸収してしまい、光源が配置されていない側面に照射される光を再利用しがたい。そこで、本発明の太陽電池パネルの表面を、光を反射しやすい白色等にすることによって、太陽電池パネルに照射される光の一部を反射し再利用できるので、光源が配置されていない側面に照射される光を有効に利用できる。また、消費電力を低減しながら、バックライトユニットおよび液晶表示装置の外形サイズを小型化することができる。
【図面の簡単な説明】
【００１８】
【図１】本発明の実施の形態１にかかわる液晶表示装置の上面図である。
【図２】図１の液晶表示装置のＡ−Ａ断面図である。
【図３】本発明の実施の形態１にかかわる液晶表示装置の斜視図である。
【図４】本発明の実施の形態２にかかわる上面図である。
【図５】図４の断面図である。（ａ）はＢ−Ｂ断面、（ｂ）はＣ−Ｃ断面である。
【図６】従来技術の第１の実施例を示す液晶表示装置の断面図である。
【図７】従来技術の第２の実施例を示す液晶表示装置の断面図である。
【符号の説明】
【００１９】
１    液晶パネル
２    光学シート
３    光源
３ａ  光源３から発光される光の経路
３ｂ  光源３から出た光の経路
３ｃ  光源３から出た光の経路
３ｄ  光源３から出た光の経路
３ｅ  光源３から出た光の経路
３ｆ  光源３から出た光の経路
４    導光板
５    反射シート
６    太陽電池パネル
７    光学素子
【図１】
2005292546.tif 000003
【図２】
2005292546.tif 000004
【図３】
2005292546.tif 000005
【図４】
2005292546.tif 000006
【図５】
2005292546.tif 000007
【図６】
2005292546.tif 000008
【図７】
2005292546.tif 000009